(57)【要約】【課題】将来の発電プラント能力を評価するためのシステム及び方法を提供すること。【解決手段】本発明の実施形態は、将来の発電プラント能力を評価するためのシステム及び方法を提供することができる。１つの実施形態において、方法を提供することができ、本方法は、１以上の発電プラント履歴運転パラメータを受け取るステップと、施工完了時構成に少なくとも部分的に基づく１以上の発電プラントの本質的性能能力を受け取るステップと、少なくとも１つのクライアント入力を受け取るステップと、同様の発電プラントの１以上の性能パラメータ、或いは１以上の発電プラント履歴運転パラメータに少なくとも部分的に基づく少なくとも１つの発電プラント性能モデルを受け取るステップと、ユーザインタフェースを介して、将来における発電プラント能力の少なくとも１つのデータセットを出力するステップとを含む。【選択図】      図１
2013120601.tif 000002
【特許請求の範囲】
【請求項１】
将来の発電プラント能力を評価するためのシステムであって、
コンピュータプロセッサと、
前記コンピュータプロセッサと通信するユーザインタフェースと、
前記コンピュータプロセッサと通信して、コンピュータ実行可能命令を記憶するように動作可能なメモリと
を備え、前記コンピュータ実行可能命令が、
１以上の発電プラント履歴運転パラメータを受け取り、
施工完了時構成に少なくとも部分的に基づく１以上の発電プラントの本質的性能能力を受け取り、
少なくとも１つのクライアント入力を受け取り、
同様の発電プラントの１以上の性能パラメータ、或いは前記１以上の発電プラント履歴運転パラメータに少なくとも部分的に基づく少なくとも１つの発電プラント性能モデルを受け取り、
前記ユーザインタフェースを介して、将来における発電プラント能力の少なくとも１つのデータセットを出力する、
ように動作可能であり、前記将来における発電プラント能力の少なくとも１つのデータセットが、前記１以上の発電プラント履歴運転パラメータ、前記１以上の発電プラントの本質的性能能力、前記少なくとも１つのクライアント入力、及び前記少なくとも１つの発電プラント性能モデルに少なくとも部分的に基づいている、システム。
【請求項２】
前記将来における発電プラント能力の少なくとも１つのデータセットが、将来の予測温度範囲、発電プラントの履歴運転基準、将来の発電プラントで計画される保守整備、又は、既存のもしくは利用可能な発電プラントの性能向上のうちの少なくとも１つに基づいて調整される、請求項１記載のシステム。
【請求項３】
前記１以上の発電プラント履歴運転パラメータが、電気エネルギーの発電機出力、燃料流量、燃焼排出ガス温度、蒸気入力流量、蒸気出力流量、凝縮器圧力、蒸気発生器ドラム圧力及び温度、スタック出口温度、発電プラント補助負荷の何れかの集合、又は前記発電プラント内の何れかの場所に設置された計装設備からの出力のうちの少なくとも１つを含む、請求項１記載のシステム。
【請求項４】
前記１以上の発電プラントの本質的性能能力が、発電プラント全体の電気エネルギー出力、或いは、熱消費率すなわち実施可能な同じ運転範囲にわたって発電プラントが生成する電気エネルギーに対する発電プラントにもたらされる熱エネルギーの比のうちの少なくとも１つを含む、請求項１記載のシステム。
【請求項５】
前記少なくとも１つのクライアント入力が、燃料価格、エミッションコスト、可変運用及び管理コスト、始動コスト影響、固定運用及び管理コスト、又は所望の入札加算機、或いは、発電プラント内の何らかのコストに関連する可能性がある他の何れかの所望のクライアント入力のうちの少なくとも１つを含む、請求項１記載のシステム。
【請求項６】
前記少なくとも１つの性能モデルの１以上の性能パラメータが、負荷、需要又は要求プラント電気エネルギー生成、圧力又は温度の周囲条件、発電プラント全体の熱消費率、或いは、発電プラント全体のエネルギー出力又は電気エネルギーのうちの少なくとも１つを含む、請求項１記載のシステム。
【請求項７】
前記将来における発電プラント能力の少なくとも１つのデータセットが、グラフィック形式又はフォーマットである、請求項１記載のシステム。
【請求項８】
将来の発電プラント能力を評価する方法であって、
１以上の発電プラント履歴運転パラメータを受け取るステップと、
施工完了時構成に少なくとも部分的に基づく１以上の発電プラントの本質的性能能力を受け取るステップと、
少なくとも１つのクライアント入力を受け取るステップと、
同様の発電プラントの１以上の性能パラメータ、或いは前記１以上の発電プラント履歴運転パラメータに少なくとも部分的に基づく少なくとも１つの発電プラント性能モデルを受け取るステップと、
前記ユーザインタフェースを介して、将来における発電プラント能力の少なくとも１つのデータセットを出力するステップと、
を含み、前記将来における発電プラント能力の少なくとも１つのデータセットが、前記１以上の発電プラント履歴運転パラメータ、前記１以上の発電プラントの本質的性能能力、前記少なくとも１つのクライアント入力、及び前記少なくとも１つの発電プラント性能モデルに少なくとも部分的に基づいている、方法。
【請求項９】
前記将来における発電プラント能力の少なくとも１つのデータセットが、将来の予測温度範囲、発電プラントの履歴運転基準、将来の発電プラントで計画される保守整備、又は、既存のもしくは利用可能な発電プラントの性能向上のうちの少なくとも１つに基づいて調整される、請求項８記載の方法。
【請求項１０】
前記１以上の発電プラント履歴運転パラメータが、電気エネルギーの発電機出力、燃料流量、燃焼排出ガス温度、蒸気入力流量、蒸気出力流量、凝縮器圧力、蒸気発生器ドラム圧力及び温度、スタック出口温度、発電プラント補助負荷の何れかの集合、又は前記発電プラント内の何れかの場所に設置された計装設備からの出力のうちの少なくとも１つを含む、請求項８記載の方法。
【請求項１１】
前記１以上の発電プラントの本質的性能能力が、発電プラント全体の電気エネルギー出力、或いは、熱消費率すなわち実施可能な同じ運転範囲にわたって発電プラントが生成する電気エネルギーに対する発電プラントにもたらされる熱エネルギーの比のうちの少なくとも１つを含む、請求項８記載の方法。
【請求項１２】
前記少なくとも１つのクライアント入力が、燃料価格、エミッションコスト、可変運用及び管理コスト、始動コスト影響、固定運用及び管理コスト、又は所望の入札加算機、或いは、発電プラント内の何らかのコストに関連する可能性がある他の何れかの所望のクライアント入力のうちの少なくとも１つを含む、請求項８記載の方法。
【請求項１３】
前記少なくとも１つの性能モデルの１以上の性能パラメータが、負荷、需要又は要求プラント電気エネルギー生成、圧力又は温度の周囲条件、発電プラント全体の熱消費率、或いは、発電プラント全体のエネルギー出力又は電気エネルギーのうちの少なくとも１つを含む、請求項８記載の方法。
【請求項１４】
前記将来における発電プラント能力の少なくとも１つのデータセットが、グラフィック形式又はフォーマットである、請求項８記載の方法。
【請求項１５】
将来の発電プラント能力を評価するための装置であって、
コンピュータ実行可能命令を記憶するように動作可能なプロセッサと、
コンピュータ実行可能命令を含む発電プラント評価モジュールと
を備え、前記コンピュータ実行可能命令が、
１以上の発電プラント履歴運転パラメータを記憶し、
施工完了時構成に少なくとも部分的に基づく１以上の発電プラントの本質的性能能力を記憶し、
少なくとも１つのクライアント入力を記憶し、
同様の発電プラントの１以上の性能パラメータ、或いは前記１以上の発電プラント履歴運転パラメータに少なくとも部分的に基づく少なくとも１つの発電プラント性能モデルを記憶し、
前記１以上の発電プラント履歴運転パラメータ、前記１以上の発電プラントの本質的性能能力、前記少なくとも１つのクライアント入力、及び前記少なくとも１つの発電プラント性能モデルに少なくとも部分的に基づいて将来における発電プラント能力を出力する
ように動作可能である、装置。
【請求項１６】
前記将来における発電プラント能力の少なくとも１つのデータセットが、将来の予測温度範囲、発電プラントの履歴運転基準、将来の発電プラントで計画される保守整備、又は、既存のもしくは利用可能な発電プラントの性能向上のうちの少なくとも１つに基づいて調整される、請求項１５記載の装置。
【請求項１７】
前記１以上の発電プラント履歴運転パラメータが、電気エネルギーの発電機出力、燃料流量、燃焼排出ガス温度、蒸気入力流量、蒸気出力流量、凝縮器圧力、蒸気発生器ドラム圧力及び温度、スタック出口温度、発電プラント補助負荷の何れかの集合、又は前記発電プラント内の何れかの場所に設置された計装設備からの出力のうちの少なくとも１つを含む、請求項１５記載の装置。
【請求項１８】
前記１以上の発電プラントの本質的性能能力が、発電プラント全体の電気エネルギー出力、或いは、熱消費率すなわち実施可能な同じ運転範囲にわたって発電プラントが生成する電気エネルギーに対する発電プラントにもたらされる熱エネルギーの比のうちの少なくとも１つを含む、請求項１５記載の装置。
【請求項１９】
前記少なくとも１つのクライアント入力が、燃料価格、エミッションコスト、可変運用及び管理コスト、始動コスト影響、固定運用及び管理コスト、又は所望の入札加算機、或いは、発電プラント内の何らかのコストに関連する可能性がある他の何れかの所望のクライアント入力のうちの少なくとも１つを含む、請求項１５記載の装置。
【請求項２０】
前記少なくとも１つの性能モデルの１以上の性能パラメータが、負荷、需要又は要求プラント電気エネルギー生成、圧力又は温度の周囲条件、発電プラント全体の熱消費率、或いは、発電プラント全体のエネルギー出力又は電気エネルギーのうちの少なくとも１つを含む、請求項１５記載の装置。
【発明の詳細な説明】
【技術分野】
【０００１】
本発明の実施形態は、全体的に、発電プラントに関し、より詳細には、将来の発電プラント能力を評価するためのシステム及び方法に関する。
【背景技術】
【０００２】
発電プラントのオペレータ及び／又は電力市場の取引業者は、生産コストを正確に予測するために日常的に発電プラントの運転コストを評価している。詳細には、将来の発電プラント能力を正確に評価する能力により、発電プラントのオペレータ及び／又は電力市場の取引業者は、コストを最小限にし、電力収益を最大にすることができる。
【発明の概要】
【発明が解決しようとする課題】
【０００３】
上述の必要性及び／又は問題の一部又は全ては、本発明の幾つかの実施形態により対処することができる。開示される実施形態は、将来の発電プラント能力を評価するシステム及び方法を含むことができる。本発明の１つの実施形態によれば、将来の発電プラント能力を評価するための方法が開示される。本方法は、１以上の発電プラント履歴運転パラメータを受け取るステップと、施工完了時構成に少なくとも部分的に基づく１以上の発電プラントの本質的性能能力を受け取るステップと、少なくとも１つのクライアント入力を受け取るステップと、同様の発電プラントの１以上の性能パラメータ、或いは１以上の発電プラント履歴運転パラメータに少なくとも部分的に基づく少なくとも１つの発電プラント性能モデルを受け取るステップと、ユーザインタフェースを介して、将来における発電プラント能力の少なくとも１つのデータセットを出力するステップとを含むことができ、将来における発電プラント能力の少なくとも１つのデータセットは、１以上の発電プラント履歴運転パラメータ、１以上の発電プラントの本質的性能能力、少なくとも１つのクライアント入力、及び少なくとも１つの発電プラント性能モデルに少なくとも部分的に基づいている。
【０００４】
本発明の別の実施形態によれば、将来の発電プラント能力を評価するためのシステムが開示される。本システムは、コンピュータプロセッサと、コンピュータプロセッサと通信するユーザインタフェースと、コンピュータプロセッサと通信して、コンピュータ実行可能命令を記憶するように動作可能なメモリとを備え、コンピュータ実行可能命令が、１以上の発電プラント履歴運転パラメータを受け取り、施工完了時構成に少なくとも部分的に基づく１以上の発電プラントの本質的性能能力を受け取り、少なくとも１つのクライアント入力を受け取り、同様の発電プラントの１以上の性能パラメータ、或いは１以上の発電プラント履歴運転パラメータに少なくとも部分的に基づく少なくとも１つの発電プラント性能モデルを受け取り、ユーザインタフェースを介して、将来における発電プラント能力の少なくとも１つのデータセットを出力する、ように動作可能であり、将来における発電プラント能力の少なくとも１つのデータセットは、１以上の発電プラント履歴運転パラメータ、１以上の発電プラントの本質的性能能力、少なくとも１つのクライアント入力、及び少なくとも１つの発電プラント性能モデルに少なくとも部分的に基づいている。
【０００５】
更に、本発明の別の実施形態によれば、将来の発電プラント能力を評価するための装置が開示される。本装置は、コンピュータ実行可能命令を記憶するように動作可能なプロセッサと、コンピュータ実行可能命令を含む発電プラント評価モジュールとを備え、コンピュータ実行可能命令が、１以上の発電プラント履歴運転パラメータを記憶し、施工完了時構成に少なくとも部分的に基づく１以上の発電プラントの本質的性能能力を記憶し、少なくとも１つのクライアント入力を記憶し、同様の発電プラントの１以上の性能パラメータ、或いは１以上の発電プラント履歴運転パラメータに少なくとも部分的に基づく少なくとも１つの発電プラント性能モデルを記憶し、１以上の発電プラント履歴運転パラメータ、１以上の発電プラントの本質的性能能力、少なくとも１つのクライアント入力、及び少なくとも１つの発電プラント性能モデルに少なくとも部分的に基づいて将来における発電プラント能力を出力するように動作可能である。
【０００６】
本発明の他の実施形態、態様、及び特徴は、当業者であれば、以下の詳細な説明、添付図面、及び添付の請求項から明らかであろう。
【図面の簡単な説明】
【０００７】
【図１】本発明の１つの実施形態による、将来の発電プラント能力を評価するための少なくとも１つのデータセットの詳細を示す例示的なグラフ。
【図２】本発明の１つの実施形態による、将来の発電プラント能力を評価するための例示的なデータフローの詳細を示す概略図。
【図３】本発明の１つの実施形態による、将来の発電プラント能力を評価するためのコンピュータ環境のブロック図を含む、例示的なデータフローの詳細を示す概略図。
【図４】本発明の１つの実施形態による、将来の発電プラント能力を評価するための例示的な方法の詳細を示すフロー図。
【発明を実施するための形態】
【０００８】
ここで、必ずしも縮尺通りに描かれていない添付図面を参照する。
【０００９】
次に、本発明の全てではなく一部の実施形態を示している添付図面を参照しながら、本発明の例示的な実施形態を以下でより詳細に説明する。本発明は、多くの様々な形態で具現化することができ、本明細書で記載される実施形態に限定されるものと解釈すべきではなく、むしろこれらの実施形態は、本開示が適用可能な法的要件を満足するように提供される。同様の参照符号は全体を通じて同じ要素を表す。
【００１０】
本発明の例示的な実施形態は、とりわけ、将来の発電プラント能力を評価するためのシステム及び方法に関する。本発明の特定の例示的な実施形態は、１以上の発電プラント履歴運転パラメータ、１以上の発電プラントの本質的性能能力、少なくとも１つのクライアント入力、及び少なくとも１つの発電プラント性能モデルに少なくとも部分的に基づいて将来における発電プラント能力の少なくとも１つのデータセットを出力することに関することができる。その上、特定の実施形態において、将来における発電プラント能力の少なくとも１つのデータセットは、特定の性質のクライアント入力、将来の予測温度範囲、発電プラントの履歴運転基準、将来の発電プラントで計画される保守整備、又は、既存のもしくは計画される利用可能な発電プラントの性能向上のうちの少なくとも１つに基づいて調整することができる。
【００１１】
幾つかの実施形態において、１以上の発電プラント履歴運転パラメータは、周囲温度及び湿度、電気エネルギーの発電機出力、燃料流量、燃焼排出ガス温度、蒸気入力流量、蒸気出力流量、凝縮器圧力、蒸気発生器ドラム圧力及び温度、スタック出口温度、発電プラント補助負荷の何れかの集合、又は発電プラント内の何れかの場所に設置された計装設備からの出力のうちの少なくとも１つを含むことができる。１つの実施形態において、１以上の発電プラントの本質的能力は、発電プラント全体の電気エネルギー出力、或いは、熱消費率すなわち実施可能な同じ運転範囲にわたって発電プラントが生成する電気エネルギーに対する発電プラントにもたらされる熱エネルギーの比のうちの少なくとも１つを含むことができる。更に別の実施形態において、少なくとも１つのクライアント入力は、燃料価格、エミッションコスト、可変運用及び管理コスト、始動コスト影響、固定運用及び管理コスト、又は所望の入札加算機、或いは、発電プラント内の何らかのコストに関連する可能性がある他の何れかの所望のクライアント入力のうちの少なくとも１つを含むことができる。更に、一部の実施形態において、少なくとも１つの性能モデルの１以上の性能パラメータは、負荷、需要又は要求プラント電気エネルギー生成、圧力、湿度又は温度の周囲条件、発電プラント全体の熱消費率、或いは、発電プラント全体のエネルギー出力又は電気エネルギーのうちの少なくとも１つを含むことができる。
【００１２】
本発明の特定の実施形態は、将来の発電プラント能力の評価に対する技術的な解決策を提供することができる。１つの実施形態において、将来における発電プラント能力の少なくとも１つのデータセットは、１以上の発電プラント履歴運転パラメータ、１以上の発電プラントの本質的性能能力、少なくとも１つのクライアント入力、及び少なくとも１つの発電プラント性能モデルに少なくとも部分的に基づいて生成される。このようにして、本発明の特定の実施形態は、将来における発電プラント能力を評価するための生産コスト予測を提供することができる。詳細には、本発明の特定の実施形態は、発電プラントのオペレータ及び電力市場の取引業者に対して、予測した発電プラント運用コスト及び将来の改善選択肢を提供して、将来のコストを最小限にし、電力収益を最大にすることを可能にすることができる。
【００１３】
図１は、将来における発電プラント能力を評価するための少なくとも１つのデータセットの詳細を示す例示的なグラフ１００を示している。図１に示すグラフ１００は、図２、３、及び４それぞれにおいて図示される、データフロー２００、システム３００、及び／又はプロセス４００によって生成することができる。図１に示すｘ軸１０４は、将来のメガワット単位の平均電力出力（発電量）である。ｙ軸１０６は、将来の発電プラントの各電気出力レベルでの運用コストである。データセット１０２は、履歴基準及び／又は性能モデルに少なくとも部分的に基づいて将来の予想性能を関係付けた直線１０８を含むことができる。例えば、履歴基準が未だ利用可能ではない場合、直線１０８は、発電プラントのタイプ及び／又は構成に基づいて予想運用コスト対電力出力の性能モデルを含むことができる。履歴運転基準が利用可能である場合、直線１０８は、過去の日付及び時刻に関する発電プラントの履歴運転に基づくことができる。すなわち、直線１０８は、限定ではないが、一日、一週間、一年、又は他の何れかの以前の時間基準のような、過去のあらゆる所与の時間フレームの間の発電プラントの履歴運転に基づくことができる。また、特定の実施形態において、直線１０８は、履歴基準及び性能モデルの両方に基づくことができる。このような実施形態において、性能モデルは、履歴基準に関する情報の空白を埋めることができる。
【００１４】
図１を更に参照すると、データセット１０２はまた、例えば、Ｂｏｌｌｉｎｇｅｒ  Ｂａｎｄｓ（ボリジャーバンド）又は他の適応取引バンドを形成する、直線１０８についてのエンベロープ１１０を含むことができる。エンベロープ１１０は、将来の予想温度範囲に基づくことができる。例えば、将来の温度範囲に応じて、エンベロープ１１０は、直線１０８から偏位することができる。直線１０８は、限定ではないが、入口冷却及び／又は加熱、ダクト燃焼及び／又はピーク燃焼など、既存の及び利用可能な発電プラントの性能向上に少なくとも部分的に基づいてエンベロープ１１０内で調整することができる。その上、直線１０８は、限定ではないが、水洗持続時間及び／又は限定ではないが温度、圧力、及び／又は湿度を含む周囲条件など、将来の計画された保守整備の影響に少なくとも部分的に基づいてエンベロープ１１０内で調整することができる。
【００１５】
図１のグラフ出力は、発電プラントのオペレータ及び／又は電力市場の取引業者が、限定ではないが、次の時間、日、月、年、又は他の何れかの所望の時間フレームを含む、将来の発電プラントの運用コストを評価するのに用いることができる。図１のグラフ出力はまた、発電プラントのオペレータ及び／又は電力市場の取引業者が、何れかの望ましい将来の発電プラントの性能向上及び改善選択肢を決定し、これに応じて保守整備を計画して将来のコストを最小限にし、電力収益を最大にするのに用いることができる。図１のグラフ出力は、出力フォーマットの１つの例示的な実施形態であるが、あらゆるタイプの出力フォーマットを実施することができ、例えば、図１のグラフ出力はまた、表計算又は他の何らかの表現可能媒体として表してもよい点は理解されるであろう。
【００１６】
図２は、将来における発電プラント能力を評価するためのデータフロー２００を示す。データフロー２００は、結果として得られる将来における発電プラント能力ブロック２０２を含むことができる。将来における発電プラント能力ブロック２０２は、発電プラント履歴運転パラメータ２０４、発電プラント構成２０６、クライアント入力２０８、及び発電プラント性能モデル２１０に関する情報の受け取り及び交換を行うためのプラットフォームである。将来における発電プラント能力ブロック２０２は、データセット内に受け取った情報をコンパイルする。データセットは、図１にグラフ表示することができ、該データセットを用いて、蒸気で考察した将来における発電プラント能力を評価することができる。
【００１７】
発電プラント履歴運転パラメータブロック２０４は、限定ではないが、複合発電プラントレベル電気エネルギーの発電機出力、燃料流量、燃焼排出ガス温度、蒸気入力流量、蒸気出力流量、凝縮器圧力、蒸気発生器ドラム圧力及び温度、スタック出口温度、発電プラント補助負荷の何れかの集合に関連するデータを含むことができる。発電プラント履歴運転パラメータブロック２０４は、発電プラント内の何れかの場所に設置される既存の又は計画されたもしくは特別に追加された計装設備からのあらゆる出力を含むことができる。発電プラント履歴運転パラメータブロック２０４からのデータを用いて、図１において上記で考察した将来の発電プラントの予想性能を関係付ける直線１０８の少なくとも一部を作成することができる。また、発電プラント履歴運転パラメータブロック２０４からのデータを用いて、以下で考察される性能モデルを較正することができる。
【００１８】
発電プラント構成ブロック２０６は、発電プラントの施工完了時構成に少なくとも部分的に基づく１以上の発電プラントの本質的性能能力を含むことができる。例えば、本質的性能能力は、限定ではないが、発電プラント全体の電気エネルギー出力、或いは、熱消費率すなわち実施可能な同じ運転範囲にわたって発電プラントが生成する電気エネルギーに対する発電プラントにもたらされる熱エネルギーの比を含むことができる。発電プラント構成ブロック２０６からのデータを用いて、図１において上記で考察した将来の発電プラントの予想性能を関係付ける直線１０８の少なくとも一部を作成することができる。
【００１９】
クライアント入力ブロック２０８は、限定ではないが、燃料価格、エミッションコスト、可変運用及び管理コスト、始動コスト影響、固定運用及び管理コスト、所望の入札加算機、或いは、発電プラント内の何らかのコストに関連する可能性がある他の何れかの所望のクライアント入力に関連する情報を含むことができる。クライアント入力ブロック２０８からのデータを用いて、図１において上記で考察した将来の発電プラントのデータセット１０２の少なくとも一部のスケールを調整することができる。例えば、燃料価格が上昇した場合、データセット１０２は、上昇した燃料価格を反映するよう調整することができる。
【００２０】
発電プラント性能モデルブロック２１０は、同様の発電プラントの１以上の性能パラメータ、或いは、１以上の発電プラント履歴運転パラメータに少なくとも部分的に基づく性能モデルを含むことができる。性能モデルは、図１の直線１０８を作成するためのベースラインとして使用される。追加の発電プラント履歴運転パラメータが利用可能になると、性能モデルが更新され、過去の発電プラント性能を考慮に入れるよう調整することができる。特定の実施形態において、図１の直線１０８を独立して作成するために、発電プラント履歴運転パラメータに関連する十分な量の情報が利用可能である場合には、性能モデルは必要ではない場合もある。他の実施形態では、性能モデルを用いて、図１の直線１０８を作成するために、発電プラント履歴運転パラメータに関連するデータの空白を埋めることができる。幾つかの態様において、機器製造業者専用の情報を性能モデルの計算の際に含めることができる。このような場合には、ファイアウォール２１２により、発電プラント性能モデルブロック２１０と将来における発電プラント能力ブロック２０２との間の専用情報の双方向交換を防ぐことができる。
【００２１】
図３は、本発明の１つの実施形態による、将来における発電プラント能力を評価するためのコンピュータデバイス３００を含むシステムの例示的な概略図を示す。コンピュータデバイス３００は、限定ではないが、図３を参照して説明するような、開示される特徴要素及びこれに伴う方法を実施できるあらゆる好適なコンピュータデバイスとして構成することができる。限定ではなく例証として、好適なコンピュータデバイスは、パーソナルコンピュータ（ＰＣ）、サーバ、サーバファーム、データセンター、又は開示される特徴要素の全て又は一部を記憶し実行できる他の何れかのデバイスを含むことができる。
【００２２】
１つの例示的な構成において、コンピュータデバイス３００は、少なくとも１つのメモリ３０２及び１以上のプロセッシングユニット（又は１つ又は複数のプロセッサ）３０４を備える。１つ又は複数のプロセッサ３０４は、適切なハードウェア、ソフトウェア、ファームウェア、又はこれらの組合せとして実施することができる。１つ又は複数のプロセッサ３０４のソフトウェア又はファームウェア実施構成は、上述の種々の機能を実施するための何らかの好適なプログラミング言語で記述されたコンピュータ実行可能又は機械実行可能命令を含むことができる。
【００２３】
メモリ３０２は、プロセッサ３０４上にロード可能且つ実行可能なプログラム命令、並びにこれらのプログラムの実行中に生成されるデータを記憶することができる。コンピュータデバイス３００の構成及びタイプに応じて、メモリ３０２は、揮発性（ランダムアクセスメモリ（ＲＡＭ）など）及び／又は不揮発性（リードオンリーメモリ（ＲＯＭ）、フラッシュメモリ、その他）とすることができる。コンピュータデバイス又はサーバはまた、限定ではないが、磁気記憶装置、光学ディスク、及び／又はテープ記憶装置を含む、追加のリムーバブル記憶装置３０６及び／又は非リムーバブル記憶装置３０８を含むことができる。ディスクドライブ及びこれらの関連するコンピュータ可読媒体は、コンピュータ可読命令、データ構造、プログラムモジュール、及びコンピュータデバイス用の他のデータの不揮発正記憶装置を提供することができる。幾つかの実施形態において、メモリ３０２は、スタティックランダムアクセスメモリ（ＳＲＡＭ）、ダイナミックランダムアクセスメモリ（ＤＲＡＭ）、又はＲＯＭなどの複数の異なるタイプのメモリを含むことができる。
【００２４】
メモリ３０２、リムーバブル記憶装置３０６及び非リムーバブル記憶装置３０８は全て、コンピュータ可読記憶媒体の実施例である。例えば、コンピュータ可読記憶媒体は、コンピュータ可読命令、データ構造、プログラムモジュール、又は他のデータのような情報の記憶のあらゆる方法又は技術で実施された揮発性及び不揮発性、リムーバブル及び非リムーバブル媒体を含むことができる。メモリ３０２、リムーバブル記憶装置３０６及び非リムーバブル記憶装置３０８は全て、コンピュータ記憶媒体の実施例である。提示できるコンピュータ記憶媒体の追加のタイプは、限定ではないが、プログラマブルランダムアクセスメモリ（ＰＲＡＭ）、ＳＲＡＭ、ＤＲＡＭ、ＲＡＭ、ＲＯＭ、電気的消去可能プログラム可能リードオンリーメモリ（ＥＥＰＲＯＭ）、フラッシュメモリもしくは他のメモリ技術、コンパクトディスクリードオンリーメモリ（ＣＤ−ＲＯＭ）、デジタル多用途ディスク（ＤＶＤ）もしくは他の光学記憶装置、磁気カセット、磁気テープ、磁気ディスク記憶装置もしくは他の磁気記憶デバイス、又は所望の情報を記憶するのに用いることができ且つサーバ又は他のコンピュータデバイスがアクセスできる他の何れかの媒体を含む。上述の何れかの組合せもまた、コンピュータ可読媒体の範囲内に含めるべきである。
【００２５】
代替として、コンピュータ可読通信媒体は、コンピュータ可読命令、プログラムモジュール、又は搬送波もしくは他の伝送などのデータ信号内で送信される他のデータを含むことができる。
【００２６】
コンピュータデバイス３００はまた、該コンピュータデバイス３００が格納データベース、別のコンピュータデバイスもしくはサーバ、ユーザ端末、及び／又はネットワーク３２８上の他のデバイスと通信するのを可能にする通信接続３１０を含むことができる。コンピュータデバイス３００はまた、キーボード、マウス、ぺン、音声入力デバイス、タッチ入力デバイス、その他などの入力デバイス３１２、及びディスプレイ、スピーカ、プリンタ、その他などの出力デバイス３１４を含むことができる。
【００２７】
メモリ３０２のコンテンツをより詳細に参照すると、メモリ３０２は、オペレーティングシステム３１６と、運転パラメータモジュール３１８を含む本明細書で開示される機能を実施するための１以上のアプリケーションプログラム又はサーバを含むことができる。運転パラメータモジュール３１８は、１以上の発電プラント履歴運転パラメータを受け取るよう構成することができる。加えて、運転パラメータモジュール３１８は、１以上の発電プラント履歴運転パラメータをメモリ３０２内に記憶することができる。例示的な発電プラント履歴運転パラメータは、限定ではないが、発電機出力、燃料流量、排出ガス温度、蒸気入力流量、蒸気出力流量、凝縮器圧力、ドラム圧力及び温度、スタック出口温度、補助負荷、又は発電プラントの計装設備からの出力のうちの少なくとも１つとすることができる。幾つかの態様において、１以上の発電プラント履歴運転パラメータは、発電プラントの将来の運転状態を予測するのに使用される。他の態様において、１以上の発電プラント履歴運転パラメータは、性能モデルモジュール３２４において以下で考察するような発電プラントの将来の運転状態を予測するために少なくとも１つの発電プラント性能モデルを較正するのに使用される。
【００２８】
メモリ３０２は更に、構成モジュール３２０を含むことができる。構成モジュール３２０は、施工完了時構成に少なくとも部分的に基づく１以上の発電プラントの本質的能力を受け取るよう構成することができる。加えて、構成モジュール３２０は、施工完了時構成に少なくとも部分的に基づく１以上の発電プラントの本質的能力をメモリ３０２内に記憶することができる。１以上の発電プラントの本質的能力の１つの実施例は、限定ではないが、発電プラント全体の電気エネルギー出力、或いは、熱消費率すなわち実施可能な同じ運転範囲にわたって発電プラントが生成する電気エネルギーに対する発電プラントにもたらされる熱エネルギーの比のうちの少なくとも１つとすることができる。構成モジュール３２０を用いて、以下で考察されるデータセットモジュール３２６において将来の発電プラントの予想性能を関係付けるデータセットの少なくとも一部を作成することができる。
【００２９】
メモリ３０２はまた、入力モジュール３２２を含むことができる。入力モジュール３２２は、少なくとも１つのクライアント入力を受け取るよう構成することができる。クライアント入力は、限定ではないが、燃料価格、エミッションコスト、可変運用及び管理コスト、始動コスト影響、固定運用及び管理コスト、又は所望の入札加算機、或いは、発電プラント内の何らかのコストに関連する他の何れかの所望のクライアント入力の少なくとも１つを含むことができる。クライアント入力モジュール３２２は、以下で考察するデータセットモジュール３２６におけるデータセットの少なくとも一部のスケールを調整するのに用いることができる。例えば、燃料価格が上昇した場合、データセットは、上昇した燃料価格を反映するよう調整することができる。
【００３０】
メモリ３０２はまた、性能モデルモジュール３２４を含むことができる。性能モデルモジュール３２４は、同様の発電プラントの１以上の性能パラメータ又は１以上の発電プラント履歴運転パラメータに少なくとも部分的に基づいて少なくとも１つの発電プラント性能モデルを受け取るように構成することができる。性能モジュール３２４は、同様の発電プラントの１以上の性能パラメータ又は１以上の発電プラント履歴運転パラメータ２０４に少なくとも部分的に基づく性能モデルを含むことができる。性能モデルは、以下で考察するデータセットモジュール３２６におけるデータセットを作成するためのベースラインとして使用される。追加の発電プラント履歴運転パラメータが利用可能になると、性能モデルを更新し調整することができる。特定の実施形態において、以下で考察されるデータセットモジュール３２６においてデータセットを独立して作成するために、発電プラント履歴運転パラメータに関連する十分な量の情報が利用可能である場合には、性能モデルは必要ではない場合もある。他の実施形態では、性能モデルを用いて、以下で考察されるデータセットモジュール３２６において完全なデータセットを作成するために、発電プラント履歴運転パラメータに関連するデータの空白を埋めることができる。
【００３１】
メモリ３０２はまた、データセットモジュール３２６を含むことができる。データセットモジュール３２６は、１以上の発電プラント履歴運転パラメータ、１以上の発電プラントの本質的性能能力、少なくとも１つのクライアント入力、及び少なくとも１つの発電プラント性能モデルに少なくとも部分的に基づいて将来における発電プラント能力の少なくとも１つのデータセットを出力するよう構成することができる。特定の実施形態において、データセットは、図１において上記で考察したグラフを含むことができる。幾つかの態様において、データセットは、将来における予測温度範囲に少なくとも部分的に基づいて調整することができる。他の態様において、データセットは、既存の及び利用可能な発電プラントの性能向上、又は将来の計画された保守整備の影響に少なくとも部分的に基づいて調整することができる。
【００３２】
本明細書で記載される種々の命令、方法、及び技法は、１以上のコンピュータ又は他のデバイスによって実行されるプログラムモジュールのようなコンピュータ実行可能命令の一般的な状況で検討することができる。一般に、プログラムモジュールは、特定のタスクを実施するため、又は特定の抽象データタイプを実施するためのルーチン、プログラム、オブジェクト、コンポーネント、データ構造、その他を含む。これらのプログラムモジュール及び同様のものは、ネイティブコードとして実行することができ、或いは、バーチャルマシン又は他のジャストインタイムコンパイル実行環境などにおいてダウンロードし実行することができる。典型的には、プログラムモジュールの機能は、種々の実施形態において望ましいように組合せ又は分散させることができる。これらのモジュール及び技法の実施構成は、ある形態のコンピュータ可読記憶媒体上に記憶することができる。
【００３３】
図３に示す例示的なコンピュータデバイス３００は、例証として提供されている。他の多くの動作環境、システムアーキテクチャ、及びデバイス構成が実施可能である。従って、本開示の実施形態は、あらゆる特定の動作環境、システムアーキテクチャ、又はデバイス構成に限定されるものとみなすべきではない。
【００３４】
図３を更に例証として参照すると、コンピュータデバイス３００は、ネットワーク３２８を介して発電プラント３３０と通信することができる。発電プラント３３０は、発電機３３２、或いは出力を生成するための他の手段又は装置を含むことができる。発電プラント３３０は、負荷３３４に対応し、適合し、又は供給するような出力を生成することができる。本発明の特定の例示的な実施形態は、１以上の発電プラント履歴運転パラメータ、１以上の発電プラントの本質的性能能力、少なくとも１つのクライアント入力、及び少なくとも１つの発電プラント性能モデルに少なくとも部分的に基づく将来における発電プラント３３０の能力の少なくとも１つのデータセットを出力するコンピュータデバイス３００に対するものとすることができる。将来における発電プラント３３０の能力のデータセットは、クライアントデバイス３３６上で、例えば図１に示すグラフ出力１００として提示することができる。発電プラントのオペレータ及び／又は電力市場の取引業者などのユーザ３３８は、ネットワーク３２８及びクライアントデバイス３３６を介して遠隔的にコンピュータデバイス３００にアクセスすることができる。発電プラント３３０及び／又はコンピュータデバイス３００に関連する情報は、データベース３４０内に記憶してアクセスすることができる。
【００３５】
図４は、本発明の１つの実施形態による、将来における発電プラント能力を評価するための方法４００の例示的なフロー図を示す。１つの実施例において、図３の例示的なコンピュータデバイス３００及び／又は例示的なコンピュータデバイス３００の１以上のモジュールは、単独で又は組合せて方法４００の記載の動作を実施することができる。
【００３６】
この特定の実施構成において、方法４００は、図４のブロック４０２で開始することができ、ここで方法４００は、１以上の発電プラント履歴運転パラメータを受け取るステップを含むことができる。更に、ブロック４０４において、方法４００は、施工完了時構成に少なくとも部分的に基づく１以上の発電プラントの本質的性能能力を受け取るステップを含むことができる。ブロック４０６において、方法４００は、少なくとも１つのクライアント入力を受け取るステップを含むことができる。ブロック４０８において、方法４００は、同様の発電プラントの１以上の性能パラメータ、或いは、１以上の発電プラント履歴運転パラメータに少なくとも部分的に基づく少なくとも１つの発電プラント性能モデルを受け取るステップを含むことができる。更に、ブロック４１０において、方法４００は、グラフィカルユーザインタフェースを介して、１以上の発電プラント履歴運転パラメータ、１以上の発電プラントの本質的性能能力、少なくとも１つのクライアント入力、及び少なくとも１つの発電プラント性能モデルに少なくとも部分的に基づいて将来における発電プラント能力の少なくとも１つのデータセットを出力するステップを含むことができる。例えば、図１のグラフ１００に示すデータと同様のデータセットは、方法４００により出力することができる。
【００３７】
ブロック４１２において、方法４００は、将来の予想温度範囲に基づく将来における発電プラント能力の少なくとも１つのデータセットを調整するステップを含むことができる。ブロック４１４において、方法４００は、発電プラントの履歴運転基準に基づく将来における発電プラント能力の少なくとも１つのデータセットを調整するステップを含むことができる。ブロック４１６において、方法４００は、将来における発電プラントの保守整備に基づく将来における発電プラント能力の少なくとも１つのデータセットを調整するステップを含むことができる。ブロック４１８において、方法４００は、ユーザによる種々の経済的及び／又は運転上の決定を行うためのユーザ決定基準及び／又は専用のレポートを含むことができる。
【００３８】
将来における発電プラント能力を評価するための例示的なシステム及び方法を説明した。
これらのシステム及び方法の一部又は全ては、必須ではないが、上記の図３に示したようなアーキテクチャによって少なくとも部分的に実施することができる。
【００３９】
構造上の特徴及び／又は方法論的行為に対する特定的な表現で実施形態を説明してきたが、本開示事項は、上記の特定的特徴及び行為に必ずしも限定されないことを理解すべきである。むしろ、上記の特定的特徴及び行為は、実施形態を実施する例示的な形態として開示されている。
【符号の説明】
【００４０】
１００  グラフ
１０２  データセット
１０４  ｘ軸（メガワット単位の平均電力出力（発電量））
１０６  ｙ軸（運用コスト）
１０８  直線
１１０  エンベロープ
２００  データフロー
３００  システム
４００  プロセス
【図１】
2013120601.tif 000003
【図２】
2013120601.tif 000004
【図３】
2013120601.tif 000005
【図４】
2013120601.tif 000006